(57)【要約】      （修正有）【課題】季節、天気あるいは気分で取り替えが可能かつ容易なランドセルカバーのセットを提供する。【解決手段】ランドセルカバーのセットは、ランドセル蓋部７に対応した形状に形成し、前記ランドセル蓋部７に着脱可能に装着し得る複数の同一形状のカバー１１ａからなるものであり、前記複数のカバー１１ａの外面には、それぞれ異なる模様１２ａを施してある。前記カバー１１ａは、ランドセル蓋部に対応した形状を有するカバー本体１３と、このカバー本体１３の一端縁中央に設けたゴム製の係止リング１４と、カバー本体１３の他端側の内面に設け、先端縁にランドセル蓋部先端の連結部材６を挿通させるための挿通孔１５を有するポケット部１６と、カバー本体１３をランドセル蓋部７に留めるためのゴム製の留めバンド１７，１８とからなる。【選択図】図１
0003136822.tif 000002
【実用新案登録請求の範囲】
【請求項１】
シート状でランドセル蓋部に対応した形状を有し、ランドセル蓋部に着脱可能に取り付け得る複数の同一形状のカバーからなるランドセルカバーのセットであって、前記複数のカバーにおける外面に、それぞれ異なる模様を施してなることを特徴とするランドセルカバーのセット。
【請求項２】
請求項１記載の各カバーは、ランドセル蓋部に対応した形状を有するシート状のカバー本体と、このカバー本体の一端縁に設けたゴム製の係止リングと、前記カバー本体の他端側の内面側に設け、先端縁にランドセル蓋部先端の連結部材を挿通させるための挿通孔を有し、前記一端側を開放したポケット部と、カバー本体の内面側で両側縁間を結ぶように設け、カバー本体をランドセル蓋部に留めるためのゴム製の留めバンドとからなることを特徴とするランドセルカバーのセット。
【考案の詳細な説明】
【技術分野】
【０００１】
本考案は、各種模様を施した複数のカバーからなり、必要に応じて取り替えることが可能なランドセルカバーのセットに関するものである。
【背景技術】
【０００２】
従来のランドセル蓋部に取り付けるランドセルカバーとしては、ランドセル蓋部とほぼ同サイズのカバー本体の一方端近傍に、両背負ベルトに挿通する止め用孔を設ける一方、前記カバー本体の他方端近傍の内面側に帯状布地を重ね、その三方縁を縫止してなる止め用袋を設け、この止め用袋には、ランドセルの蓋部の下端に設けられ、蓋部先端をランドセルの底部に連結固定するための蓋閉め部材を挿通し得る出し孔を設けたもの（特許文献１参照）が提案されている。このランドセルカバーは、取り付けにあたって、背環に連結された各上部背負いベルトと、ランドセル底部に連結した下部背負いベルトとの連繋を外した後、上部背負いベルト先端を前記止め用孔に挿入してから、ランドセル蓋部を覆う位置まで移動させ、前記止め用孔とは反対端側の前記止め用袋に前記ランドセル蓋部先端縁の前記蓋閉め部材を挿入し、かつ前記出し孔から外側に引き出して取り付けが完了する。また、取り外すには、やはり前記上部背負いベルトと下部背負いベルトとの連繋を解き、前記蓋閉め部材を前記出し孔及び止め用袋から引き抜き、前記装着時とは逆に移動して、前記止め用孔を背負いベルトから外すのである。
【特許文献１】実用新案登録第３０７７２７８号公報
【考案の開示】
【考案が解決しようとする課題】
【０００３】
上記従来のランドセルのカバーは、単独で構成されているので、異なる模様のものに交換できないという不都合があるうえ、取り付け及び取り外しに際し、上部背負いベルトと下部背負いベルトの連結を解かなければならないので、手間がかかり、特に学童にとってはこの取り替え作業が困難であるという問題がある。
【０００４】
本考案は、上記不都合や問題を解消することを課題とし、該課題を解決したランドセルカバーのセットを提供することを目的とする。
【課題を解決するための手段】
【０００５】
前記目的を達成するために、請求項１に記載の本考案は、シート状でランドセル蓋部に対応した形状を有し、ランドセル蓋部に着脱可能に取り付け得る複数の同一形状のカバーからなり、前記複数のカバーにおける外面には、それぞれ異なる模様を施してなるものである。
【０００６】
また、請求項２に記載の本考案は、前記請求項１に記載の各カバーは、ランドセル蓋部に対応した形状を有するシート状のカバー本体と、このカバー本体の一端縁に設けたゴム製の係止リングと、前記カバー本体の他端側の内面側に設け、先端縁にランドセル蓋部先端の連結部材を挿通させるための挿通孔を有する、前記係止リング側を開放したポケット部と、カバー本体の内面側で両側縁間を結ぶように設け、カバー本体をランドセル蓋部に留めるためのゴム製の留めバンドとからなるものである。
【考案の効果】
【０００７】
前記請求項１に記載の本考案は、学童が登校するときの季節、天気や気分によって、ランドセルカバーの模様を選択して取り替えることができるという効果を奏する。
【０００８】
また、前記請求項２に記載の本考案は、取り付け及び取り外しに手間が掛からないので、カバーの取り替え作業が学童でも容易であるという効果を奏する。
【考案を実施するための最良の形態】
【０００９】
以下に、本考案の好適な実施形態を添付図面の図１〜図８に基づいて詳細に説明する。ここにおいて、図１はカバーの正面図、図２は同じく背面図、図３は同じく側面図、図４はランドセルに取り付けた状態の側面図、図５は取り付け状態の部分拡大図、図６は取り付け状態の部分拡大図、図７は他のカバーの拡大部分正面図、図８はその他のカバーの拡大部分正面図である。
【００１０】
先ず、本考案の説明の前に、本考案のランドセルカバーのセットを適用するランドセルを説明する。図４〜図６に示すように、ランドセル１は、公知の構成を有するものであって、教科書、ノートなどを収容するための上部を開放したランドセル本体２と、このランドセル本体２の開放上部に被せるよう、上端をランドセル背当て３上縁に連繋するとともに、その下端縁にランドセル底部４に設けた被連結部材５に連結する連結部材６を備えたランドセル蓋部７と、ランドセル背当て３に設け、壁や机に設けた掛けピン（図示せず）に掛けてランドセル１を吊るすための上方に突出する掛け金具８を有する背環９と、この背環９に上端部を固定した一対の上部背負いベルト１０ａと、ランドセル底部に下端部を固定しするとともに、前記上部背負ベルト１０ａと長さ調節可能かつ着脱可能に連結するようなした一対の下部背負いベルト１０ｂとを備える。
【００１１】
次に、本考案のランドセルカバーのセットを説明すると、図１、図７及び図８に示すように、ランドセルカバーのセットは、ランドセル蓋部７の形状及びサイズとほぼ同じ長方形に形成し、前記ランドセル蓋部７に着脱可能に取り付け得る複数のカバー１１ａ，１１ｂ，１１ｃからなるものであり、前記複数のカバー１１ａ，１１ｂ，１１ｃの外面には、それぞれ異なる模様１２ａ，１２ｂ，１２ｃを施してある。
【００１２】
図１〜図６に示すように、前記カバー１１ａは、ランドセル蓋部７に対応した形状を有するシート状のカバー本体１３と、このカバー本体１３の一端縁中央に設けたゴム製の係止リング１４と、前記カバー本体１３の他端側の内面に設け、先端縁にランドセル蓋部７先端の連結部材６を挿通させるための挿通孔１５を有し、前記係止リング１４側を開放したポケット部１６と、カバー本体１３の内面側を幅方向に跨いで両側縁間を結ぶように設け、カバー本体１３をランドセル蓋部７に留めるためのゴム製の留めバンド１７，１８とからなる。前記ポケット部１６は、カバー本体１３の端部を折り返し、両側を縫合するとともに、折り返し縁の中央部分に前記挿通孔１５を形成してなる。
【００１３】
また、図７及び図８に示す他のカバー１１ｂとその他のカバー１１ｃは、それらの外面に施された模様１２ｂ，１２ｃが前記図１〜図６に示すカバー１１ａの模様１２ａと異なるが、他の構成である係止リング（図示せず）、ポケット部（図示せず）及び留めバンド（図示せず）は、前記カバー１１ａの係止リング１４、ポケット部１６及び留めバンド１７，１８と同一構成を有するものである。
【００１４】
以上のように構成したランドセルカバーのセットは、学童、父兄などが季節、天気あるいは気分で、カバー１１ａ，１１ｂ，１１ｃのうちから選択してランドセル蓋部７に取り付ける。取り付けに際しては、模様１２ａ，１２ｂ，１２ｃを施してあるカバー１１ａ表面を外側にし、留めバンド１７，１８を順次ランドセル蓋部７に潜らせ、ランドセル蓋部７のランドセル背環９側に移動してランドセル蓋部７先端の連結部材６をポケット部１６の開放部分に入れ、その挿通孔１５からポケット部１６外部に引き出すとともに、このポケット部１６とは反対端の係止リング１４をランドセル背環９の掛け金具８に係止することによって取り付けが完了する。一方、取り外しに際しては、掛け金具８から係止リング１４を外した後、全体をランドセル蓋部７から抜くように若干移動するとともに、ランドセル蓋部７先端の連結部材６を挿入孔１５からポケット部１６の内側を経てその開放部から外に出し、ランドセル蓋部７から抜くことによって取り外しが完了する。
【００１５】
そして、学童、父兄などは季節、天気あるいは気分で前記カバー１１ａを他のカバー１１ｂあるいはカバー１１ｃに取り替えたい場合には、前記カバー１１ａの取り外し作業を行った後に、カバー１１ｂあるいはカバー１１ｃの、前記カバー１１ａの取り付け作業と同様の取り付け作業を行えばよい。
【００１６】
なお、本考案は、上記実施形態になんら限定されるものではなく、例えば、セットとしての３枚のカバー１１ａ，１１ｂ，１１ｃは、その外面に施す模様は、図１、図７あるいは図８に示す模様１２ａ，１２ｂ，１２ｃに限るものではないとともに、３枚のカバー１１ａ，１１ｂ，１１ｃで構成するのではなく、２枚あるいは４枚以上、好ましくは１２枚程度のそれぞれ異なる模様を有するもので構成してもよい。
【図面の簡単な説明】
【００１７】
【図１】カバーの正面図。
【図２】同じく背面図。
【図３】同じく側面図。
【図４】ランドセルに取り付けた状態の側面図。
【図５】取り付け状態の部分拡大図。
【図６】取り付け状態の部分拡大図。
【図７】他のカバーの拡大部分正面図。
【図８】その他のカバーの拡大部分正面図。
【符号の説明】
【００１８】
１    ランドセル
２    ランドセル本体
３    ランドセル背当て
４    ランドセル底部
５    被連結部材
６    連結部材
７    ランドセル蓋部
８    掛け金具
９    背環
１０ａ    上部背負いベルト
１０ｂ    下部背負いベルト
１１ａ    カバー
１１ｂ    カバー
１１ｃ    カバー
１２ａ    模様
１２ｂ    模様
１２ｃ    模様
１３    カバー本体
１４    係止リング
１５    通気孔
１６    ポケット部
１７    留めバンド
１８    留めバンド
【図１】
0003136822.tif 000003
【図２】
0003136822.tif 000004
【図３】
0003136822.tif 000005
【図４】
0003136822.tif 000006
【図５】
0003136822.tif 000007
【図６】
0003136822.tif 000008
【図７】
0003136822.tif 000009
【図８】
0003136822.tif 000010